(57)【要約】開示された電子装置は、ハウジング（１）、および少なくとも部分的に伸長した状態と退避状態との間で切り換えられるように構成された退避可能なディスプレイ（３）を備える。この装置は、ハウジングと一体化され、少なくともディスプレイの表面から汚れを除去するように構成された掃除ユニット（６）を備えている。可撓性ディスプレイ（３）は、例えばグリップ（７）を用いてサイド部材（４ａ、４ｂ、４ｃ、５ａ、５ｂ、５ｃ）をハウジング内に滑り込ませることによって退避させることができる。電子装置１０において、ディスプレイにはバー（６）を誘導するためのエッジ部材８ａ、８ｂが設けられていることが望ましい。
2010526348.tif 000002
【特許請求の範囲】
【請求項１】
ハウジング、および少なくとも部分的に伸長した状態と退避状態との間で切り換えられるように構成された退避可能なディスプレイを備える電子装置であって、
前記電子装置と一体化されるとともに、少なくとも前記ディスプレイの表面から汚れを除去するように構成された掃除ユニットを備えることを特徴とする電子装置。
【請求項２】
請求項１に記載の電子装置において、
前記掃除ユニットは、少なくとも前記ディスプレイの前記表面に接触することによって汚れを除去するように構成されていることを特徴とする電子装置。
【請求項３】
請求項２に記載の電子装置において、
前記掃除ユニットは、少なくとも前記ディスプレイの前記表面に沿って摺動することによって汚れを除去するように構成された移動可能なバーを備えることを特徴とする電子装置。
【請求項４】
請求項３に記載の電子装置において、
前記バーを案内するためのエッジ部材が設けられていることを特徴とする電子装置。
【請求項５】
請求項３または請求項４に記載の電子装置において、
前記バーは、前記ディスプレイを間に収容するように構成された第１部材と第２部材とを有することを特徴とする電子装置。
【請求項６】
請求項２から請求項５のいずれか１項に記載の電子装置において、
少なくとも前記ディスプレイの前記表面に接するように構成された前記掃除ユニットの面は、布を備えることを特徴とする電子装置。
【請求項７】
請求項６に記載の電子装置において、
前記布は、弾性部材によって保持されていることを特徴とする電子装置。
【請求項８】
請求項６または請求項７に記載の電子装置において、
前記布は、前記ディスプレイの上方に配置されて前記ディスプレイの下方に設けられた第２の部材と吸引力によって相互に作用するように構成された第１の部材に設置されることを特徴とする電子装置。
【請求項９】
請求項８に記載の電子装置において、
前記第２の部材には、前記ディスプレイの裏面と接触するように構成された布がさらに設置されていることを特徴とする電子装置。
【請求項１０】
請求項２から請求項５のいずれか１項に記載の電子装置において、
少なくとも前記ディスプレイの前記表面に接するように構成された前記掃除ユニットの面は、ブラシを備えることを特徴とする電子装置。
【請求項１１】
請求項１から請求項１０のいずれか１項に記載の電子装置において、
前記掃除ユニットは軸回りに回転可能であり、前記軸は、前記ディスプレイが前記掃除ユニット近傍の領域において延在する平面に実質的に平行であることを特徴とする電子装置。
【請求項１２】
請求項１１に記載の電子装置において、
前記折り畳み可能なディスプレイは、前記ハウジング内に配置されたローラの周りに巻き付けられるように構成され、前記掃除ユニットは、前記ローラによって駆動可能な掃除部材を備えることを特徴とする電子装置。
【請求項１３】
請求項１に記載の電子装置において、
前記掃除ユニットは、少なくとも前記ディスプレイの前記表面に少なくとも接近して配置された突起部材を備えることを特徴とする電子装置。
【請求項１４】
請求項１３に記載の電子装置において、
前記突起部材は、前記掃除ユニット近傍の領域において前記ディスプレイが延在する平面に対して斜めに配置されていることを特徴とする電子装置。
【請求項１５】
請求項２〜請求項１４に記載の電子装置において、
前記掃除ユニットは、前記ディスプレイの前記面に接する第１位置と、前記ディスプレイの前記面と接触しないように前記ディスプレイの前記面から十分に離間した第２位置との間で切り換えられるように構成されていることを特徴とする電子装置。
【請求項１６】
請求項１に記載の電子装置において、
前記掃除ユニットは、前記ディスプレイを振動させて汚れを除去するための振動子を備えることを特徴とする電子装置。
【請求項１７】
請求項１６に記載の電子装置において、
前記振動子は、音波すなわち超音波の発生器からなることを特徴とする電子装置。
【請求項１８】
請求項１に記載の電子装置において、
前記掃除ユニットは、少なくとも前記ディスプレイの前記表面に向けた空気の流れを生成するように構成されていることを特徴とする電子装置。
【請求項１９】
請求項１８に記載の電子装置において、
前記掃除ユニットは、前記空気の流れを生成するための圧縮可能な容器を備えることを特徴とする電子装置。
【請求項２０】
請求項１から請求項１９のいずれか１項に記載の電子装置において、
前記ディスプレイには、帯電防止コーティングが設けられていることを特徴とする電子装置。
【請求項２１】
請求項１に記載の電子装置において、
前記掃除ユニットは、吸引力の作用によって汚れを除去するように構成されていることを特徴とする電子装置。
【請求項２２】
請求項２１に記載の電子装置において、
前記吸引力は、前記掃除ユニットに配置された粘着材によって生成されることを特徴とする電子装置。
【請求項２３】
請求項２１に記載の電子装置において、
前記吸引力は、前記掃除ユニットの静電気によって生成されることを特徴とする電子装置。
【請求項２４】
請求項２３に記載の電子装置において、
前記静電気は、前記掃除ユニットの回転動作によって生成されることを特徴とする電子装置。
【発明の詳細な説明】
【技術分野】
【０００１】
本発明は、ハウジングと、少なくとも部分的に伸長した状態と退避状態との間で切り換わるように構成された退避可能なディスプレイとを備える電子装置に関する。
【背景技術】
【０００２】
可撓性、とくに巻き取りまたは巻き付け可能なディスプレイを用いた装置は、ディスプレイを少なくとも部分的に読み取ることが可能な開放状態と、ディスプレイが収納された閉鎖状態とを有する。可撓性ディスプレイがもろい層を備えるという事実から、表面の汚れによって傷がつく可能性がある。このような汚染は、種々の物体の粒子、および／または液体を含むことがある。
【０００３】
可撓性ディスプレイを備えた既知の装置の欠点は、異物がディスプレイの表面または裏面を汚染して、ディスプレイが退避または伸長されたときに傷を付けてしまう可能性があることである。
【発明の概要】
【発明が解決しようとする課題】
【０００４】
本発明の目的は、退避可能なディスプレイを備えた電子装置であって、表示面に存在する異物による表示面の損傷を防止できる装置を提供することである。
【課題を解決するための手段】
【０００５】
このため、本発明による電子装置は、当該装置に一体化され、少なくともディスプレイの表面から汚れを除去するように構成された掃除ユニットを備えている。掃除ユニットは、少なくともディスプレイの表面に接触することによって汚れを除去するように構成されていることが望ましい。この構成により、ばらばらな(loose）粒子だけでなく、液体もディスプレイの面から除去することができる。掃除ユニットは、装置のハウジングに、とくにハウジング内部に適切に一体化してもよい。
【０００６】
本発明の技術的手段は、少なくともディスプレイの表面からの粒子および／または、液体といった異物を効果的に除去することによって、ディスプレイの耐久性が向上するという知見に基づいている。堅い光学面、例えばモニタスクリーン、カメラレンズ、または携帯電話のスクリーンを掃除する分野において、適切な掃除手段自体は知られている。掃除は、通常、適当なアプリケータを用いて手動で行われる。アプリケータは洗浄液を使用するものや、使用しないものがある。コピー機および携帯電子装置の分野では、ほこりが所定の領域に進入するのを防ぐ手段が知られている。しかし、可撓性ディスプレイを備える電子装置用の掃除手段は知られていない。
【０００７】
電子装置の一実施の形態において、掃除ユニットは、少なくともディスプレイの表面に沿って摺動することによって汚れを除去するように構成された移動可能なバーを備える。
【０００８】
この構成により、ディスプレイの表面から機械的に粒子を除去する簡単で信頼性の高い手段を提供することができる。ディスプレイにエッジ部材を設け、エッジ部材によってバーを案内することが望ましい。バーはディスプレイを受け止めるように形成されることが一層望ましい。バーは、プラスチック、コーティングされた金属等の十分堅い材料から製造されることが望ましい。バーと可撓性ディスプレイの表面との間の摩擦を減らすために、ディスプレイに対向するバーの面に、適切な材料、とくに布を設けてもよい。適当な材料の例としては、柔らかいフェルトがある。別の実施の形態では、バーはブラシ、とくに粒子等の異物をディスプレイの面から取り除く毛状のブラシを備えている。当業者には明らかなように、上述した移動可能なバーを、回転可能もしくは巻き取り可能なディスプレイを備える電子装置のハウジング内に一体化してもよい。
【０００９】
退避可能なディスプレイが開口を通って伸長可能に構成されている場合、掃除ユニットは開口近傍に配置されることが望ましい。この技術的手段により、粒子が電子装置のハウジングへ進入することを防止できるとともに、ディスプレイから効果的に汚れを除去することができる。
【００１０】
ローラに巻き付けられて収納され、装置の適切なハウジング内に配置される回転可能なディスプレイにおいては、可撓性ディスプレイが退避または伸長する際に開口を通るという点を利用することが有効であることがわかった。さらに、開口によって、開口の直近でディスプレイの面をさらに支持することができると理解される。開口付近に掃除ユニットを配置することによって、開口の支持作用と、使用時に掃除ユニットがディスプレイの面に圧力をかけるという相乗効果がある。この相乗効果によって、清掃の際にディスプレイの面に圧痕ができない。
【００１１】
本発明による電子装置のさらなる実施の形態において、少なくともディスプレイの表面に接するように構成された掃除ユニットの面は、布を備える。
【００１２】
布は、フェルト、とくに柔らかいフェルトからなることが望ましい。望ましい実施の形態では、フェルト等は、望ましくはディスプレイの表面に、さらに望ましくは裏面にも軽い圧力をかける弾性部材によって支持されることが望ましい。ディスプレイが装置内に巻き取られるとき、フェルトによって粒子および／または液体が装置内に進入することを防止する。布は、ディスプレイの上方に配置されてディスプレイの下方に設けられた第２の部材と吸引力によって相互に作用するように構成された第１の部材に設置されることが望ましい。このような第１の部材および第２の部材の例としては、適切に配向された２つの磁石、または弾性接続部もしくは接続手段によって接続された２つの部材がある。第２の部材にさらに布が設置されていることが一層望ましい。この構成により、掃除ユニットからディスプレイにかけられる外圧が、ディスプレイユニットの下方に配置された掃除ユニットの第２の部分によって打ち消され、たるみによる悪影響から表示スクリーンを保護できる。第１の部材と第２の部材の適切な例としては、２つの磁石、または弾性手段または接続部によって互いに接続された２つの部材がある。
【００１３】
本発明による電子装置のさらなる実施の形態において、少なくともディスプレイの表面に接するように構成された掃除ユニットの面は、ブラシを備える。
【００１４】
ブラシは、ブラシの毛が通常、柔らかい材料から構成され、外部、例えば表示スクリーンに圧力をかけると容易に曲がるため、有効である。したがって、ブラシの毛が障害物に当たると容易に変形する柔らかい構造であるため、たるみによるディスプレイの損傷が発生しない。このことは、面の汚れが寸法の大きな、例えば１ｍｍ３程度の粒子である場合に、とくに重要である。掃除ユニット、とくにブラシ等は、軸回りに回転可能であり、当該軸は、ディスプレイが掃除ユニット近傍の領域において延在する平面に実質的に平行であることが望ましい。本発明による電子装置の具体的な実施の形態において、退避可能なディスプレイは、ハウジング内に配置されたローラの周りに巻き付けられるように構成され、掃除ユニット、とくにブラシ等は、ローラによって駆動可能に構成されている。なお、ブラシの代わりに布等を適切なローラに設置しても、同様の効果が得られる。
【００１５】
この構成により、ブラシの角速度をローラの角速度と一致できるというさらなる効果が得られる。例えば、ブラシの軸とローラの軸を、とくに中間ギアを用いて連結することによって、回転ブラシがより効率的に粒子を除去することになる。なお、ブラシの回転方向は、ローラの回転方向と一致しても、あるいは、ローラの回転方向と反対方向であってもよい。また、巻き取り可能なディスプレイの伸長方向に対して交差する方向にブラシを回転可能とすることもできる。
【００１６】
本発明による電子装置のさらなる実施の形態において、掃除ユニットは、少なくともディスプレイの表面に少なくとも接近して配置された突起部材を備える。あるいはまた、突起部材は少なくともディスプレイの表面に接触するように構成されている。
【００１７】
小型刃物等を用いることが望ましい。突起部材は、掃除ユニット近傍の領域においてディスプレイが延在する平面に対して斜めに配置されていることが一層望ましい。突起部材を斜めに配置することにより、表示面に圧痕を与えることなく、ディスプレイの面を効果的に処理することができる。上述した掃除ユニットは、ディスプレイの面に接する第１位置と、ディスプレイの面から離間した第２位置との間で切り換えられるように構成されていることが望ましい。この構成により、必要に応じてディスプレイを掃除することができ、ディスプレイに対して継続的に機械的な力が与えられないためディスプレイの耐久性を向上させることができる。
【００１８】
本発明による電子装置のさらなる実施の形態において、掃除ユニットは、ディスプレイを振動させて汚れを除去するための振動子を備える。振動子は、音波すなわち超音波の発生器からなることが望ましい。別の実施の形態では、振動子は、表示面を振動させる、例えば開口に対してローラを変位させるための機械的手段を備えてもよい。この構成により、表示面から汚染粒子を除去する簡単で効果的な手段を提供できる。振動子は、回転可能なディスプレイを備える電子装置の開口の内側または外側に設置される。ディスプレイが電子装置のハウジングの周りに巻き付けられるように構成されている場合、可撓性ディスプレイの面が振動子の動作によって振動されれば、振動子はハウジングのどのような位置にでも配置される。当業者にはわかるように、このような振動子の出力は、電子装置の構成に応じて幅広い範囲から選択可能である。
【００１９】
本発明による電子装置のさらなる実施の形態において、掃除ユニットは、少なくともディスプレイの表面に向けた空気の流れを生成するように構成されている。掃除ユニットは、空気の流れを生成するための圧縮可能な容器を備えることが望ましい。なお、このような掃除ユニットは、電子装置のハウジングの内部または外部に配置される。ハウジングの周りに巻き付けられるように構成された可撓性ディスプレイを備える電子装置の一実施の形態において、掃除ユニットはハウジング上に設けられる。
【００２０】
本発明による電子装置のさらなる実施の形態において、ディスプレイは帯電防止コーティングを含む。
【００２１】
可撓性、とくに退避可能なディスプレイの少なくとも表面を帯電防止コーティングで覆うことは、汚染粒子の表示スクリーンへの付着を大きく低下し、上述したような清掃の効率を向上させるため、非常に有効である。
【００２２】
本発明による装置のさらなる実施の形態において、掃除ユニットは、吸引力の作用によって汚れを除去するように構成されている。このような吸引力の一例としては、適切な静電荷を蓄えるように構成された適切なロールによって実現できる。ディスプレイの表面の汚れは、ロールの材料によって収集され、ディスプレイを掃除することができる。あるいはまた、ディスプレイの移動によってロールを回転動作させてもよい。この場合、ロールの材料によって集められた汚染粒子は、ロールによって運ばれることが望ましく、ロールと協働する適切な容器に廃棄される。また、ディスプレイの回転動作により、ロールがさらに静電荷を蓄えるようにしたり、清掃による静電荷の減少分を補償するようにすることも可能である。
【００２３】
他の実施の形態においては、掃除ユニットに配置された粘着材によって吸引力を発生させる。例えば、適当な粘着性の部材を掃除ユニットの表面に配置し、汚れを収集することができる。なお、掃除ユニットは、ディスプレイの面に接触するように構成しても、非接触で作動するように構成してもよい。後者の場合、掃除ユニットとディスプレイの面との間の空間を、汚染粒子の寸法と同様の小ささに保つようにしてもよい。
【００２４】
本発明の上述した態様および他の態様を、図面を参照してより詳細に説明する。
【図面の簡単な説明】
【００２５】
【図１ａ】図１ａは、本発明による電子装置の一実施の形態を示す概略図である。
【図１ｂ】図１ｂは、本発明による電子装置のさらなる実施の形態を示す概略図である。
【図２】図２は、本発明による電子装置のさらなる実施の形態を示す概略図である。
【図３】図３は、本発明による掃除ユニットの一実施の形態を示す概略図である。
【図４】図４は、本発明による掃除ユニットのさらなる実施の形態を示す概略図である。
【図５】図５は、本発明による掃除ユニットのさらなる実施の形態を示す概略図である。
【図６】図６は、本発明による掃除ユニットのさらなる実施の形態を示す概略図である。
【図７】図７は、本発明による掃除ユニットのさらなる実施の形態を示す概略図である。
【発明を実施するための形態】
【００２６】
図１ａは、本発明による電子装置の一実施の形態を示す概略図である。電子装置１０、とくにパームトップコンピュータ、携帯電話、システム手帳等は、ハウジング１と、可撓性ディスプレイ３とを備える。可撓性ディスプレイは、サイド部材４ａ、４ｂ、４ｃ、５ａ、５ｂ、５ｃによってハウジング１から伸長される。サイド部材は、互いに入れ子状に伸縮自在に構成されていることが望ましく、ディスプレイ３の各端部２ａ、３ａを収容するように寸法決めされている。可撓性ディスプレイ３は、電気泳動技術を用いて製造してもよい。可撓性ディスプレイは、ポリマーエレクトロニクスに基づいて動作可能である。る。なお、簡単のため、ハウジング１は上蓋を省略した状態で示している。可撓性ディスプレイ３は、例えばグリップ７を用いてサイド部材４ａ、４ｂ、４ｃ、５ａ、５ｂ、５ｃをハウジング内に滑り込ませることによって退避させることができる。サイド部材をハウジング内に摺動させることによって、可撓性ディスプレイ３が電子装置１０の開口Ｐに進入し、ハウジング１内に配置された適切なローラ（不図示）の周りに巻き付けられる。ディスプレイ３がディスプレイ表面に存在する汚れによって損傷するのを防止するため、電子装置１０は、少なくともディスプレイ３に沿って方向Ｄにスライドすることによって汚れ９を取り除くように構成された移動可能なバー(棒体)６を備える。電子装置１０において、ディスプレイにはバーを誘導するためのエッジ部材８ａ、８ｂが設けられていることが望ましい。エッジ部材８ａ、８ｂは、ディスプレイに取り付けられることなくディスプレイを受けるように構成されていることが望ましい。バー６は、エッジ部材８ａ，８ｂと協働して、ディスプレイ３の表面に対して平面平行に移動する。なお、バーは、ディスプレイを間に収容するように構成された第１部材６と第２部材(不図示）を備えてもよい。この場合、ディスプレイ３は移動可能なバー６の第１部材と第２部材の間に挟まれる。第２部材を設けることにより、第１部材の機械的動作によるディスプレイ３の圧痕が防止される。
【００２７】
バーは、プラスチック、コーティングされた金属等の十分堅い材料から製造されることが望ましい。バーと可撓性ディスプレイの表面との間の摩擦を減らすために、ディスプレイに対向するバーの面に、適切な材料、とくに布を設けてもよい。適当な材料の例としては、柔らかいフェルトがある。別の実施の形態では、バーはブラシ、とくに粒子といった異物をディスプレイの面から取り除く毛状のブラシを備えている。
【００２８】
図１ｂは、本発明による電子装置のさらなる実施の形態を示す概略図である。電子装置１１は、ハウジング１２と、退避可能な、特に巻き取り可能であって、望ましくは堅いカバー１２ａ上に配置されるディスプレイ１５とを備える。堅いカバー１２ａは、ディスプレイ１５とともに位置１１ａまでハウジング１２の周りに巻きつけられるように構成されている。堅いカバー１２ａは、堅い領域１３ａ、およびカバー１２ａのヒンジ１６ａ，１６ｂと協働する可撓性の領域１４ａ，１４ｂを有するエッジ部材１３を備えている。ディスプレイ１５がハウジング１２の周りに巻き付けられた位置まで退避するとき、ディスプレイ１５の面はハウジング１２と接触する可能性がある。ディスプレイが面上に存在する汚れで損傷してしまうことを防止するため、ディスプレイ１５には移動可能なバー(棒体)１８を備えた掃除ユニットが設けられている。バー１８はハウジング１２近傍の待機位置に配置され、汚れを除去するために表示領域１５に沿って移動することができる。バー１８は案内用のサイド部材１９と協働することが望ましい。バー１８は、図１ａを用いて説明したような材料から構成してもよい。この実施の形態においても、サイド部材１９は、ディスプレイ１５の面に沿ってバー１８を案内するように構成されている。
【００２９】
図２は、本発明による電子装置のさらなる実施の形態を示す概略図である。電子装置２０、とくに携帯電話には、ハウジング２２が設けられ、ハウジングには退避状態のディスプレイを保持するように構成されたローラ２４が配置されている。ディスプレイ２６がハウジング２２から伸長されると、端部２５ａ，２５ｂは適切なエッジ部材２７ｚ，２７ｂによって支持されることが望ましい。サイド部材は、適切なヒンジ２９によって、伸長位置２７ａ、２７ｂと、退避位置２７ａ、’２７ｂ’との間で切り換えられる。ディスプレイ２６の面の汚れを掃除するために、移動可能なバー(棒体)２１が設けられている。バー２１はハウジング２２の近傍に配置されている。ディスプレイが伸長され、ローラ２４に巻き付けられる前の状態において、バー２１は汚れを除去するためにディスプレイ２６に沿って、例えば方向２１ａに移動可能である。なお、ディスプレイ２６の圧痕を防止するために、サイド部材２７ａ’、２７ｂ’はディスプレイの端部を収容してディスプレイを支持するようにＵ形状をしている。
【００３０】
図３は、本発明による掃除ユニットの一実施の形態を示す概略図である。電子装置３０は、ハウジング３１、および表面３３ａと裏面３３ｂとを有する巻き取り可能なディスプレイ３３を備えている。巻き取り可能なディスプレイは、ディスプレイ３３の退避中、方向Ｒに回転可能なローラ３２の周りに巻き付けられるように構成されている。ディスプレイの面に存在する汚れを除去するために、電子装置３０には、ハウジング３１と一体化されるとともに、望ましくはディスプレイ３３が通る開口Ｐの近傍のハウジング３１内に配置された掃除ユニット３５が設けられている。掃除ユニット３５は、掃除ユニットの面に配置され、少なくともディスプレイの表面３３ａと接するように構成された布３５ａを備えている。掃除ユニット３５は、また、ディスプレイ３３を局所的に支持するように、および／または裏面３３ｂを掃除するように、ディスプレイの裏面３３ｂに接するように配置された第２の布３５ｂを備えることが望ましい。布３５ａ，３５ｂは、それぞれ弾性部材３６ａ、３６ｂによって支持されることが望ましい。より望ましくは、布３５ａ、３５ｂは、ディスプレイの上方に配置された第１の磁性部材３７ａに設置され、第１の磁性部材はディスプレイの下方に設けられた第２の磁性部材３７ｂと吸引力によって相互に作用するように構成されている。なお、第２の磁性部材には、ディスプレイの裏面と接触するように構成された他の布３５ｂが配置されても、配置されなくてもよい。本発明による電子装置の別の実施の形態において、少なくともディスプレイの表面３３ａに接するように構成されたされた掃除ユニットの面は、ブラシを備える。ブラシは、可撓性ディスプレイの表面、あるいは可撓性ディスプレイの表面と裏面に接触するように構成されている。
【００３１】
図４は、本発明による掃除ユニットのさらなる実施の形態を概略的に示す。電子装置４０は、ハウジング４１、および表面４３ａと裏面４３ｂを有する可撓性ディスプレイ４３を備えている。可撓性ディスプレイ４３は、非使用中にはローラ４２の周りに巻き付けられるように構成されている。ディスプレイ４３は開口Ｐを介してハウジング４１内に進入する。本発明による電子装置は、軸Ａ２回りに回転するように構成されたブラシが設けられた掃除ユニットを備えている。当該軸Ａ２は、ディスプレイが掃除ユニット近傍の領域Ｐにおいて延在する平面４３ａに実質的に平行である。ブラシ４５はローラ４２によって駆動可能であることが望ましい。ブラシの角速度をローラの角速度と一致できることが一層望ましい。例えば、ブラシの軸Ａ２とローラの軸Ａ１を、とくに中間ギア４７を用いて連結することによって、回転ブラシがより効率的に粒子を除去することになる。なお、ブラシの回転方向は、ローラの回転方向と一致する、あるいは、ローラの回転方向と反対方向である。また、巻き取り可能なディスプレイの伸長方向に対して交差する方向に、ブラシを回転可能とすることもできる。
【００３２】
なお、ロール４５は吸引力の作用によって汚れを除去するように構成してもよい。この場合、ブラシの代わりに布を使用する。ロール４５を静電気的（statically）に構成してもよい。ディスプレイの表面の汚れは、ロールの材料によって収集され、ディスプレイを掃除することができる。あるいはまた、ディスプレイの移動によってロールを回転動作させてもよい。この場合、ロールの材料によって集められた汚染粒子は、ロールによって運ばれることが望ましく、ロールと協働する適切な容器（不図示）に廃棄される。
【００３３】
他の実施の形態においては、掃除ユニットに配置された粘着材、例えばロール４５によって吸引力（attractive force）を発生させる。例えば、適当な粘着性の部材を掃除ユニットの表面に配置し、汚れを収集することができる。なお、掃除ユニットは、ディスプレイの面に接触するように構成しても、非接触で作動するように構成してもよい。後者の場合、掃除ユニットとディスプレイの面との間の空間は、汚染粒子の寸法と同様の小ささに保たれる。
【００３４】
図５は、本発明による掃除ユニットのさらなる実施の形態を概略的に示す。本発明のさらなる実施の形態による電子装置５０は、ハウジング５１、および表面５３ａと裏面５３ｂとを有する巻き取り可能なディスプレイ５３を備えている。ディスプレイ５３は、ローラ５２の周りに巻き付けられるように構成されている。このため、ディスプレイ５３は開口Ｐを介してハウジング５１に進入する。電子装置５１はさらに、少なくともディスプレイ５３の表面５３ａから汚れを掃除するために構成された掃除ユニットを備える。掃除ユニットは、少なくともディスプレイの表面に接触する様に構成された突起部材を備える。小型刃物等を用いることが望ましい。より望ましくは、突起部材は、掃除ユニット近傍の領域においてディスプレイが延在する平面に対して角度αをもって斜めに配置される。なお、角度αは、９０度より小さくても、９０度より大きくてもよい。突起部材を斜めに配置することにより、表示面に圧痕を与えることなく、ディスプレイの面を効果的に処理することができる。図３〜５に示された掃除ユニットは、ディスプレイの面に接する第１位置と、ディスプレイの面から離間した第２位置との間で切り換えられるように構成されていることが望ましい。この構成により、必要に応じてディスプレイを掃除することができ、ディスプレイに対して継続的に機械的な力が与えられないためディスプレイの耐久性を向上させることができる。
【００３５】
図６は、本発明による掃除ユニットのさらなる実施の形態を概略的に示す。電子装置６０は、ハウジング６１、および表面６３ａと裏面６３ｂとを有する巻き取り可能なディスプレイ６３を備えている。ディスプレイ６３は、ディスプレイ６３を退避するために軸６４回りに方向Ｒに回転可能なローラ６２の周りに巻きつけられるように構成されている。電子装置６１は、さらに、少なくともディスプレイ６３の表面６３ａから汚れを取り除く様に構成された掃除ユニットを備える。この実施の携帯においては、掃除ユニットは、ディスプレイを振動させて汚れを除去するための振動子を備える。振動子６６は、ディスプレイ上方のハウジング６１の外面に設けられ、ディスプレイ６３が収納時に開口Ｐを通る前に小さい振動を発生させる。または、振動子６７をディスプレイの下方に設け、ディスプレイが開口Ｐを通る前にディスプレイを振動させてもよい。あるいはまた、掃除ユニット６８をハウジング６１内に設置し、ローラを振動させることにより、ローラ６２と開口Ｐの間に位置するディスプレイ６３の部分における汚染粒子を除去してもよい。さらに別の実施の形態において、振動子６５をハウジング６１内に配置し、ローラ６２と開口Ｐとの間のディスプレイ６３の領域を振動させるようにしてもよい。最後の２つの実施の形態は、ディスプレイのより小さな領域の変位ですむので、振動により粒子をより効率的に除去することができ、有効である。振動子は、当該技術分野では知られた音波すなわち超音波の発生器であることが望ましい。
【００３６】
図７は、本発明による掃除ユニットのさらなる実施の形態を概略的に示す。電子装置７０は、適切なハウジング７１を備え、可撓性ディスプレイ７２が例えばローラ７３に巻き取られることによって収納されるように構成されている。ローラ７３は軸７４回りに回転可能である。可撓性ディスプレイは、適切なハンドル７５によって、退避位置（少なくとも部分的にローラ７３に巻き付けられた状態）と、伸長位置との間で移動可能である。本発明においては、ハンドル７５は、適当なガス、例えば空気を蓄えたタンク７６と協働するように構成されている。ハンドル７５を方向Ｒに移動することにより、タンク７６内のガスは圧縮され、チューブ７７内に移動する。これにより、ハンドル７５がポンプのように動作する。チューブ７７は、可撓性ディスプレイ７２がハウジング７１内に進入するための開口Ｐの近傍に出口を備え、開口Ｐ付近の領域７９をチューブ７７から放出されたガス流で覆うように構成されている。ディスプレイ７２の面に存在する粒子はガス流７８によって除去されるので、領域７９においてチューブ７７から放出されたガス流７８は、掃除ユニットとして機能することになる。なお、ガスタンク７６を動作させるために電気的な原理を用いることも考えられる。
【００３７】
なお、本発明による電子装置の複数の特定の実施形態を明確にするためにそれぞれ別々に説明したが、各図面を用いて説明した構成についてそれぞれ対応する部分を置き換えてもよい。特定の実施形態について上述したが、本発明は上述した以外の形態も実施することができる。上記説明は例示であって、限定するものではない。したがって、当業者には明らかなように、上述した発明のついての変形も添付の特許請求の範囲内に属すると理解される。
【図１ａ】
2010526348.tif 000003
【図１ｂ】
2010526348.tif 000004
【図２】
2010526348.tif 000005
【図３】
2010526348.tif 000006
【図４】
2010526348.tif 000007
【図５】
2010526348.tif 000008
【図６】
2010526348.tif 000009
【図７】
2010526348.tif 000010
【国際調査報告】
2010526348.tif 000011
2010526348.tif 000012
2010526348.tif 000013